(57)【要約】  スピーカ装置（１）は、磁気回路を形成する磁気回路構成体（１０）に接合される環状の第１周部（１２）と、第１周部より音放射方向側に設けられて、振動板（７）に接合される環状の第２周部（１３）と、第１周部及び第２周部の間をその径方向に連結する少なくとも１つのアーム部（１４Ａ）と、を有するフレームと、磁気回路の磁気ギャップ（Ｇ）内に位置するボイスコイル（５１）と、ボイスコイルに接続されて、アーム部に沿って径方向に延在するヒューズ電線（１７）と、を備える。
2019087847.tif 000002
【特許請求の範囲】
【請求項１】
ヨーク、マグネット及びプレートを含む磁気回路を支持する環状の第１周部と、振動板を支持する環状の第２周部と、前記第１周部及び前記第２周部との間に位置するアーム部と、を有するフレームと、
前記振動板に接続されるボイスコイルと、
前記ボイスコイルに電気的に接続され、前記アーム部の一部と音放射方向において重なるヒューズ電線と、を備えることを特徴とするスピーカ装置。
【請求項２】
前記第１周部及び前記第２周部の間に位置する空間において、前記第１周部側から前記ヒューズ電線、前記アーム部、前記振動板の順に位置していることを特徴とする請求項１に記載のスピーカ装置。
【請求項３】
前記アーム部は、前記第１周部及び前記第２周部に連続して設けられていることを特徴とする請求項１または請求項２に記載のスピーカ装置。
【請求項４】
端子を備え、
前記ヒューズ電線の少なくとも一方の端部は、前記端子に接続されていることを特徴とする請求項１乃至請求項３のうち何れか一項に記載のスピーカ装置。
【請求項５】
前記端子は、前記第１周部、前記第２周部及び前記アーム部のいずれかに位置することを特徴とする請求項４に記載のスピーカ装置。
【請求項６】
前記ヒューズ電線は、前記ボイスコイルを構成するリード線と同じ材料を含んで構成され、
前記ヒューズ電線の径は、リード線の径より小さいことを特徴とする請求項１〜請求項５のうち何れか一項に記載のスピーカ装置。
【請求項７】
前記ヒューズ電線の径は、前記ボイスコイルから引き出された引出線の径より小さいことを特徴とする請求項１〜請求項６のうち何れか一項に記載のスピーカ装置。
【請求項８】
前記アーム部は、溝部を有し、
前記ヒューズ電線が、前記溝部に収容されていることを特徴とする請求項１〜請求項７のうち何れか一項に記載のスピーカ装置。
【請求項９】
前記ヒューズ電線が前記溝部に収容された状態で、前記溝部の開口を覆う覆い部を有することを特徴とする請求項８に記載のスピーカ装置。
【請求項１０】
前記ヒューズ電線が前記溝部に収容された状態で、前記溝部には充填剤が充填されていることを特徴とする請求項８または請求項９に記載のスピーカ装置。
【請求項１１】
前記溝部は、前記アーム部において前記振動板が位置する側とは反対側に形成されていることを特徴とする請求項８〜請求項１０のうち何れか一項に記載のスピーカ装置。
【請求項１２】
前記アーム部は突起部を有し、
前記ヒューズ電線は前記突起部の周面に接触した状態で前記ヒューズ電線の一部が湾曲されていることを特徴とする請求項１〜請求項１１のうち何れか一項に記載のスピーカ装置。
【請求項１３】
前記アーム部は突起部を有し、
前記ヒューズ電線は前記突起部に巻き付いていることを特徴とする請求項１〜請求項１１のうち何れか一項に記載のスピーカ装置。
【請求項１４】
前記第１周部及び前記第２周部の間に位置する支持板を備え、
前記支持板は、前記ヒューズ電線の両端部それぞれに電気的に接続される接続部を有していることを特徴とする請求項１〜請求項３のうち何れか一項に記載のスピーカ装置。
【請求項１５】
前記ヒューズ電線と重なる位置に、当該支持板を貫通するスリット、または凹溝が形成されていることを特徴とする請求項１４に記載のスピーカ装置。
【請求項１６】
前記ヒューズ電線は、前記支持板の一方の面に対して、湾曲して設けられていることを特徴とする請求項１４または１５に記載のスピーカ装置。
【請求項１７】
前記アーム部は、溝部を有し、
前記ヒューズ電線が前記溝部に収容され、前記支持板により、前記溝部の開口が覆われていることを特徴とする請求項１４〜請求項１６のうち何れか一項に記載のスピーカ装置。
【請求項１８】
ケースを備え、
前記支持板には、前記接続部に電気的に接続される複数の第２接続部が形成され、
前記ケースの内部において、前記ヒューズ電線の両端部それぞれが、前記接続部に電気的に接続され、
前記ケースの外部において、前記複数の第２接続部のうち一方が前記第２周部に位置する端子に電気的に接続され、かつ他方が前記ボイスコイルから引出された引出線に電気的に接続されていることを特徴とする請求項１４〜請求項１７のうち何れか一項に記載のスピーカ装置。
【請求項１９】
前記端子が複数設けられ、
前記第１周部及び前記第２周部の間に位置する端子支持板と、
前記端子支持板の少なくとも一部を覆うケースと、を備え、
前記ヒューズ電線が前記ケースの内部に位置した状態で、前記ヒューズ電線の両端部それぞれが、前記複数の端子に電気的に接続されていることを特徴とする請求項４に記載のスピーカ装置。
【発明の詳細な説明】
【技術分野】
【０００１】
本発明は、スピーカ装置に関する。
【背景技術】
【０００２】
特許文献１に記載のスピーカにあっては、ボイスコイルに過大電流が流れることを防止するためにヒューズが設けられている。ヒューズは、スピーカのフレームの前面（音放射方向）側の外周縁に取り付けられた飾りリングの凹溝内に取り付けられている。またヒューズは、フレームの外周面において前後方向（軸線方向）に延在する配線に接続されている。このようなヒューズは、過大電流がボイスコイルに流れようとした場合に、溶断されてボイスコイルに過大電流が流れることを防止する。
【先行技術文献】
【特許文献】
【０００３】
【特許文献１】特開２００４−３２０２６４号公報
【発明の概要】
【発明が解決しようとする課題】
【０００４】
特許文献１に記載のスピーカにおいて、ヒューズはスピーカに対し外部に露出しているため、電流による溶断以外にも外部からの衝撃や、振動板の振動の影響により断線をしてしまう可能性があった。【０００５】
本発明の課題は、ヒューズ電線に電流が流れることによって溶断する以外で断線（目的外の断線）することを抑制するスピーカ装置を提供することが一例として挙げられる。
【課題を解決するための手段】
【０００６】
上記課題を解決するために、請求項１に記載のスピーカ装置は、ヨーク、マグネット及びプレートを含む磁気回路を支持する環状の第１周部と、振動板を支持する環状の第２周部と、前記第１周部及び前記第２周部との間に位置するアーム部と、を有するフレームと、前記振動板に接続されるボイスコイルと、前記ボイスコイルに電気的に接続され、前記アーム部の一部と音放射方向において重なるヒューズ電線と、を備えることを特徴とする。
【図面の簡単な説明】
【０００７】
【図１】本発明の一実施例にかかるスピーカ装置を模式的に示す断面図である。
【図２】前記スピーカ装置を構成するフレームを示す斜視図である。
【図３Ａ】前記スピーカ装置の組立て方法を説明するための図であり、アーム部にヒューズ電線が配索された状態を示す斜視図である。
【図３Ｂ】前記スピーカ装置の組立て方法を説明するための図であり、ヒューズ電線が溝部に収容された状態で、溝部に充填剤が充填された状態を模式的に示す図である。
【図３Ｃ】溝部に充填剤が充填された状態を模式的に示す断面図である。
【図４】本発明の変形例にかかるスピーカ装置の溝部を模式的に示す断面図である。
【図５】本発明の他の変形例にかかるスピーカ装置の溝部を模式的に示す断面図である。
【図６Ａ】本発明のさらに他の変形例にかかるスピーカ装置の溝部を模式的に示す断面図である。
【図６Ｂ】本発明のさらに他の変形例にかかるスピーカ装置の溝部を模式的に示す断面図である。
【図７】本発明の第２実施例にかかるスピーカ装置を模式的に示す平面図である。
【図８】本発明の第３実施例にかかるスピーカ装置を模式的に示す斜視図である。
【図９】本発明の第４実施例にかかるスピーカ装置を模式的に示す斜視図である。
【図１０】本発明の第５実施例にかかるスピーカ装置を模式的に示す斜視図である。
【図１１】本発明の第６実施例にかかるスピーカ装置を模式的に示す斜視図である。
【図１２】図１１中のＩ−Ｉ線に沿う断面図である。
【図１３】本発明の変形例にかかるスピーカ装置の要部を模式的に示す斜視図である。
【図１４】本発明の他の変形例にかかるスピーカ装置の要部を模式的に示す斜視図である。
【図１５】本発明のさらに他の変形例にかかるスピーカ装置の要部を模式的に示す斜視図である。
【図１６】本発明のさらに他の変形例にかかるスピーカ装置の要部を模式的に示す斜視図である。
【図１７】本発明の第７実施例にかかるスピーカ装置を模式的に示す上面図である。
【図１８】図１７に示されたスピーカ装置の要部を模式的に示す斜視図である。
【図１９】本発明の第８実施例にかかるスピーカ装置の要部を模式的に示す斜視図である。
【図２０】図１９に示されたスピーカ装置の要部の一部を模式的に示す斜視図である。
【図２１】本発明の変形例にかかるスピーカ装置の要部を模式的に示す斜視図である。
【発明を実施するための形態】
【０００８】
以下、本発明の一実施形態を説明する。本発明の実施形態にかかるスピーカ装置は、ヨーク、マグネット及びプレートを含む磁気回路を支持する環状の第１周部と、振動板を支持する環状の第２周部と、第１周部及び第２周部との間に位置するアーム部と、を有するフレームと、振動板に接続されるボイスコイルと、ボイスコイルに電気的に接続され、アーム部の一部と音放射方向において重なるヒューズ電線と、を備えるものである。このように、ヒューズ電線が、アーム部の一部と音放射方向において重なる位置に設けられていることで、従来技術に比して、当該ヒューズ電線の目的外の断線の抑制を図ることができる。
【０００９】
また、第１周部及び第２周部の間に位置する空間において、第１周部側からヒューズ電線、アーム部、振動板の順に位置していることが好ましい。これによれば、ヒューズ電線の目的外の断線の抑制をより一層図ることができる。
【００１０】
また、アーム部は、第１周部及び第２周部に連続して設けられていることが好ましい。
これによれば、ヒューズ電線の目的外の断線の抑制をより一層図ることができる。
【００１１】
また、端子を備え、ヒューズ電線の少なくとも一方の端部は、端子に接続されていることが好ましい。これによれば、ヒューズ電線と端子との接続信頼性の向上を図ることができる。
【００１２】
また、前記端子は、前記第１周部、前記第２周部及び前記アーム部のいずれかに位置することが好ましい。これによれば、フレームから外部にはみ出すことなくヒューズ電線が設けられているから、スピーカ装置の大型化の抑制を図ることができる。
【００１３】
また、ヒューズ電線は、ボイスコイルを構成するリード線と同じ材料を含んで構成され、ヒューズ電線の径は、リード線の径より小さいことが好ましい。これによれば、ヒューズ電線が、ボイスコイルと同じ材料を含んで構成されていることで、音質の劣化を抑制することができる。さらに、ヒューズ電線の径が、ボイスコイルを構成するリード線の径より小さくなるように形成されていることで、過大電流が入力された際、ヒューズ電線がボイスコイルのリード線より先に溶断し、ボイスコイルに過大電流が流れることを防止することができる。
【００１４】
また、ヒューズ電線の径は、ボイスコイルから引き出された引出線の径より小さいことが好ましい。これによれば、ヒューズ電線の径が、ボイスコイルから引き出された引出線の径より小さくなるように形成されていることで、過大電流が入力された際、ヒューズ電線がボイスコイルの引出線より先に溶断し、ボイスコイルに過大電流が流れることを防止することができる。
【００１５】
また、アーム部は、溝部を有し、溝部に、ヒューズ電線が収容されていることが好ましい。これによれば、ヒューズ電線の目的外の断線を抑制しつつ、ヒューズ電線が溝部に収容されていない場合に比して、スピーカ装置の小型化を図ることができる。
【００１６】
また、ヒューズ電線が溝部に収容された状態で、溝部の開口を覆う覆い部を有することが好ましい。これによれば、異物がヒューズ電線に付着することを抑制することができる。さらに、ヒューズ電線が覆い部により覆われていることで、ヒューズ電線からの放熱が抑制されるため、過大電流が流れた際に溶断し易くなる。
【００１７】
また、ヒューズ電線が溝部に収容された状態で、溝部には充填剤が充填されていることが好ましい。これによれば、ヒューズ電線をより一層、強固に固定することができる。さらに、ヒューズ電線の腐食防止を図ることができる。
【００１８】
また、溝部は、アーム部において振動板が位置する側とは反対側に形成されていることが好ましい。これによれば、振動板の振動の影響によるヒューズ電線の断線（目的外の断線）の抑制を図ることができる。
【００１９】
また、アーム部は突起部を有し、ヒューズ電線は前記突起部の周面に接触した状態でヒューズ電線の一部が湾曲されていることが好ましい。これによれば、ヒューズ電線はヒューズ電線の一部が湾曲されていることにより、ヒューズ電線の適切な長さを確保することができる。従って、過大電流が入力された際に、ヒューズ電線が適切に溶断され、ボイスコイルに過大電流が流れることをより一層、防止することができる。
【００２０】
また、アーム部は突起部を有し、ヒューズ電線は突起部に巻き付いていることが好ましい。これによれば、突起部にヒューズ電線を巻き付けることにより、ヒューズ電線の適切な長さを確保することができる。従って、過大電流が入力された際に、ヒューズ電線が適切に溶断され、ボイスコイルに過大電流が流れることをより一層、防止することができる。
【００２１】
また、第１周部及び第２周部の間に位置する支持板を備え、支持板は、ヒューズ電線の両端部それぞれに電気的に接続される接続部を有していることが好ましい。これによれば、ヒューズ電線が、支持板の一方の面に覆われることで、ヒューズ電線の目的外の断線の抑制を図ることができる。また、ヒューズ電線が支持板とアーム部との間に位置している場合には、ヒューズ電線が、支持板及びアーム部により覆われることとなり、ヒューズ電線の目的外の断線の抑制をより一層、図ることができる。
【００２２】
また、ヒューズ電線と重なる位置に、当該支持板を貫通するスリット、または凹溝が形成されていることが好ましい。これによれば、例えばヒューズ電線を直線形状で配線した場合においても、ヒューズ電線の周囲にクリアランスを設けることができる。また、熱膨張等によりヒューズ電線が変形及び傾斜した場合でも、ヒューズと支持板の接触を抑制できる。即ち、支持板が有するスリット、または凹溝は、ヒューズ電線が発熱したとしても、ヒューズ電線の周囲にクリアランスが設けられていることにより適宜放熱され、さらにヒューズ電線と周囲の部材とのクリアランスを確保する。従って、本構成により支持板の高さ方向に大型化することなく、ヒューズ電線からの熱を周囲の部材に伝わり難くすることができる。
【００２３】
また、ヒューズ電線は、支持板の一方の面に対して、湾曲して設けられていることが好ましい。これによれば、ヒューズ電線の周囲にクリアランスを設けることができる。これにより、ヒューズ電線からの熱を周囲の部材に伝わり難くすることができる。
【００２４】
また、アーム部は、ヒューズ電線が溝部に収容された状態で、支持板により、溝部の開口が覆われていることが好ましい。これによれば、異物がヒューズ電線に付着することの抑制を図ることができる。
【００２５】
また、ケースを備え、支持板には、接続部に電気的に接続される複数の第２接続部が形成され、ケースの内部において、ヒューズ電線の両端部それぞれが、接続部に電気的に接続され、ケースの外部において、複数の第２接続部のうち一方が第２周部に位置する端子に電気的に接続され、かつ他方がボイスコイルから引出された引出線に電気的に接続されていることが好ましい。これによれば、予めヒューズ電線を接続部に電気的に接続してケースの内部に収容したヒューズ部品を形成しておくことで、スピーカの組立てにおいてヒューズ電線の配線をすることなくヒューズ電線を交換することができる。即ち、メンテナンスの際の作業性の向上を図ることができる。
【００２６】
また、端子が複数設けられ、第１周部及び第２周部の間に位置する端子支持板と、端子支持板の少なくとも一部を覆うケースと、を備え、ヒューズ電線がケースの内部に位置した状態で、ヒューズ電線の両端部それぞれが、複数の端子に電気的に接続されていることが好ましい。これによれば、異物がヒューズ電線に付着することの抑制を図ることができる。
【実施例】
【００２７】
（第１実施例）
以下、本発明の一実施例にかかるスピーカ装置１を図１〜図３を参照して説明する。スピーカ装置１の軸方向において、音放射方向として磁気回路１０に対して振動板７が位置する方向を「上方」と記し、音放射方向の反対方向を「下方」と記す場合がある。また、スピーカ装置１の軸に直交する方向を「径方向」と記す。【００２８】
図１に示すスピーカ装置１は、ヨーク２、マグネット３及びプレート４を有する磁気回路１０と、磁気回路１０の磁気ギャップＧ内に位置するボイスコイル部５と、ダンパー６と、振動板７と、エッジ８と、キャップ９と、これらを支持するフレーム１１と、を備えている。【００２９】
ヨーク２は、上方に向けて円筒状（円柱状でもよい）に立設されるセンターポール２０と、センターポール２０の下端を中心として径方向に延在するフランジ部２１と、を有して構成されている。マグネット３は、円環状に形成され、センターポール２０に挿入されてフランジ部２１の上面に重ねて設けられている。プレート４は、円環状に形成され、センターポール２０が挿入されてマグネット３の上面に重ねて設けられている。センターポール２０とプレート４との間にはマグネット３の磁束が集中する磁気ギャップＧが形成されている。【００３０】
ボイスコイル部５は、円筒状のボビン５０と、ボビン５０に巻かれて形成されて振動板７に接続されるボイスコイル５１と、を有して構成されている。ボイスコイル５１は、リード線５１（ボイスコイルと同一符号を付与する）を有し、ボビン５０の下端部に巻き回されている。リード線５１の一端は、後述するプラスの引出線５２Ａを介して、不図示のアンプのプラスの配線に接続される。リード線５１の他端は、後述するマイナスの引出線５２Ｂを介して、アンプのマイナスの配線に接続される。これにより、アンプから１チャンネル分の信号及び電力（音声電流）が入力される。【００３１】
ダンパー６は、円環状に形成され、同心円状の複数の波形形状を有して構成されている。ダンパー６は、内周縁部６１がボイスコイル部５のボビン５０の上端部（ボイスコイル５１が形成されていない部分）に支持され、外周縁部６２がフレーム１１の後述する磁気回路支持部１２の第２周板１２２の内周縁部に支持されて、ボビン５０を弾性的に支持している。【００３２】
振動板７は、上方に向かうにしたがって径寸法が徐々に大きくなるコーン状に形成されている。振動板７は、内周縁部７１が、ボビン５０の上端部でかつダンパー６より上方に支持され、外周縁部７２が、後述するエッジ８を介してフレーム１１の後述する上方平坦部１３１に支持される。エッジ８は、円環状でかつ径方向の断面が略Ω状となるように形成されている。エッジ８は、振動板７で生じる不要な振動を吸収するためのものである。また、エッジ８は振動板７と同一材料で形成されていても、異なる材料で形成されていてもどちらでもよい。本発明ではいずれの場合でもエッジ８は振動板７の一部であるものとする。【００３３】
キャップ９は、ドーム状に形成されている。このキャップ９は、ボイスコイル部５のボビン５０の上方側の開口を覆って、ボイスコイル部５の内部への粉塵等の侵入を防止する。【００３４】
フレーム１１は、図２に示すように、合成樹脂（または金属）により構成されている。フレーム１１は、プレート４の上面４０に重ねて固定される円環状の底板１２０と、底板１２０の外周縁から立設される第１周板１２１と、第１周板１２１に連続されるとともに軸に直交する方向に延在する第２周板１２２と、を有して磁気回路１０を支持する受け皿状の磁気回路支持部１２（第１周部）と、振動板７の上端部をエッジ８を介して支持するエッジ支持部１３（第２周部）と、磁気回路支持部１２とエッジ支持部１３の間を径方向に連結する複数（図示例では６本）のアーム部１４と、を一体に備えて構成されている。また、磁気回路支持部１２（第１周部）及びエッジ支持部１３（第２周部）の間に位置する空間において、磁気回路支持部１２側からヒューズ電線１７、後述するコネクタアーム部１４Ａ（アーム部）、振動板７の順に位置している。なお、図２において、マイナスのコネクタ端子１５１Ｂ及びこれに接続されるマイナスの引出線５２Ｂは省略されている。【００３５】
第２周板１２２には、振動板７と反対側の面１４ａに中継用端子１６Ａが貼付されている。中継用端子１６Ａは、導電性の板金から構成されている。中継用端子１６Ａはプラスの引出線５２Ａに接続されている。また、中継用端子１６Ａは、後述するコネクタアーム部１４Ａの磁気回路支持部１２への付け根部分１２Ａ近傍に設けられている。【００３６】
エッジ支持部１３は、図１に示すように、エッジ８を囲みつつ軸方向が上下方向となるように形成された周壁１３０と、周壁１３０の上端から径方向の外側に延在する上方平坦部１３１と、周壁１３０の下端から径方向の外側に延在する下方平坦部１３２と、周壁１３０の上下の中間位置から径方向外側に延在する中間平坦部１３３と、を備えて構成されている。さらに、下方平坦部１３２と中間平坦部１３３との間には、不図示のアンプの各配線をヒューズ電線１７やマイナスの引出線５２Ｂに接続するためのコネクタ１５が設けられている。【００３７】
コネクタ１５は、エッジ支持部１３において、６つのアーム部１４のうち１つのアーム部１４Ａ（以下、コネクタアーム部１４Ａと記す）の径方向の外側に隣接する位置に設けられている。コネクタ１５は、下方平坦部１３２と中間平坦部１３３との間に位置し、径方向の外側に開口する筒状のハウジング１５０と、周壁１３０を貫通する一対のコネクタ端子１５１Ａ、１５１Ｂ（一対の端子、以下では、プラスのコネクタ端子１５１Ａ、マイナスのコネクタ端子１５１Ｂと記す）と、を備えている。即ち、プラスのコネクタ端子１５１Ａは、後述するコネクタアーム部１４Ａのエッジ支持部１３への付け根部分１３Ａ近傍に設けられている。【００３８】
コネクタアーム部１４Ａは、磁気回路支持部１２に連続されるとともに、径方向の外側に進むにしたがって上方に向かう第１延在部１４１と、第１延在部１４１に連続されるとともに軸に直交する方向に延在して設けられて、エッジ支持部１３に連続される第２延在部１４２と、を備えている。即ち、コネクタアーム部１４Ａは、磁気回路支持部１２及びエッジ支持部１３に連続して設けられている。【００３９】
第１延在部１４１は、振動板７と反対側の面１４ａには、溝部１４３が形成されている。溝部１４３は、中継用端子１６Ａに接続される（後述する）ヒューズ電線１７を収容可能に形成されている。本実施例の溝部１４３は、断面が矩形状となるように形成されている。【００４０】
ヒューズ電線１７は、図３Ａに示すように、一端がプラスのコネクタ端子１５１Ａに接続され、他端が中継用端子１６Ａを介して、プラスの引出線５２Ａに接続されている。ヒューズ電線１７の一端とコネクタ端子１５１Ａとの接続や、ヒューズ電線１７の他端と中継用端子１６Ａとの接続は、例えば半田付け、溶着、圧着等の公知の接続手段で行われている。【００４１】
ヒューズ電線１７は、所定の電流値が流れた際に溶断し、電流回路を遮断する役割を有する電子部品である。本実施例では、図３Ｂ、図３Ｃに示すように、導線の周囲にエナメルが塗付されて構成されている。ヒューズ電線１７を構成する導線は、ボイスコイル５１を形成するリード線５１及び引出線５２Ａ、５２Ｂと略同じ材料（銅やアルミを含む金属）で形成されている。導線には、所定の電流が流れることで溶断するような溶断部（不図示）が形成されている。溶断部の径寸法は、ボイスコイル５１を構成するリード線５１及びプラスの引出線５２Ａの径寸法より小さい寸法となるように形成されている。ヒューズ電線１７は、コネクタアーム部１４Ａの溝部１４３に収容された状態で、溝部１４３内に接着剤１４４（充填剤）が充填されることで固定されている。本実施例のヒューズ電線１７は、導線の周囲にエナメルが塗付されて構成されているが、ヒューズ電線１７は、導線のみから構成されていてもよい。即ち、エナメル等の被覆部を有していなくともよい。また、導線の太さは限定されず、引出線５２Ａ、５２Ｂと比較し溶断し易い材料から構成されていればよい。なお、図３Ａにおいて、マイナスの引出線５２Ｂは省略されている。【００４２】
次に、本実施例の作用効果について説明する。【００４３】
フレーム１１に設けられたコネクタ１５に相手方コネクタが嵌合されることにより、アンプのプラスの配線が、プラスのコネクタ端子１５１Ａ、ヒューズ電線１７、中継用端子１６Ａ、プラスの引出線５２Ａを介して、ボイスコイル５１を形成するリード線５１に接続される。また、アンプのマイナスの配線が、マイナスのコネクタ端子１５１Ｂ、マイナスの引出線５２Ｂを介して、リード線５１に接続される。ボイスコイル部５に信号電流が入力されるとフレミング左手の法則に従い、軸方向の一方（上方）に力を発生させる。この振動が振動板７に伝導されることで、音が発生（放射）される。【００４４】
スピーカ装置１に、ヒューズ電線１７が設けられていることで、過大電流がボイスコイル５１に流れようとした場合に、ヒューズ電線１７が溶断されてボイスコイル５１に過大電流が流れることを防止することができる。また、ヒューズ電線１７が、コネクタアーム部１４Ａ（アーム部）の一部と音放射方向において重なる位置に設けられていることで、当該ヒューズ電線１７の目的外の断線の抑制を図ることができる。【００４５】
また、磁気回路支持部１２（第１周部）及びエッジ支持部１３（第２周部）の間に位置する空間において、磁気回路支持部１２側からヒューズ電線１７、コネクタアーム部１４Ａ（アーム部）、振動板７の順に位置している。これによれば、ヒューズ電線１７の目的外の断線の抑制をより一層図ることができる。【００４６】
また、コネクタアーム部１４Ａ（アーム部）は、磁気回路支持部１２（第１周部）及びエッジ支持部１３（第２周部）に連続して設けられている。これによれば、ヒューズ電線１７の目的外の断線の抑制をより一層図ることができる。【００４７】
また、プラスのコネクタ端子１５１Ａ（端子）を備え、ヒューズ電線１７の一方の端部は、プラスのコネクタ端子１５１Ａに接続されている。また、中継用端子１６Ａ（端子）を備え、ヒューズ電線１７の他方の端部は、中継用端子１６Ａに接続されている。これによれば、ヒューズ電線１７と端子１５１Ａ、１６との接続信頼性の向上を図ることができる。【００４８】
また、プラスのコネクタ端子１５１Ａ（端子）または中継用端子１６Ａ（端子）は、磁気回路支持部１２（第１周部）、エッジ支持部１３（第２周部）及びコネクタアーム部１４Ａ（アーム部）のいずれかに位置する。これによれば、フレーム１１から外部にはみ出すことなくヒューズ電線１７が設けられているから、スピーカ装置１の大型化の抑制を図ることができる。【００４９】
また、ヒューズ電線１７は、ボイスコイル５１を構成するリード線５１と同じ材料を含んで構成され、ヒューズ電線１７の径は、リード線５１の径より小さくなるように形成されている。これによれば、ヒューズ電線１７が、ボイスコイル５１のリード線５１と同じ材料を含んで構成されていることで、音質の劣化を抑制することができる。さらに、ヒューズ電線１７の径が、ボイスコイル５１のリード線５１の径より小さくなるように形成されていることで、過大電流が入力された際、ヒューズ電線１７がボイスコイル５１のリード線５１より先に溶断し、ボイスコイル５１に過大電流が流れることを防止することができる。【００５０】
また、ヒューズ電線１７の径は、ボイスコイル５１から引き出された引出線５２Ａの径より小さくなるように形成されている。これによれば、ヒューズ電線１７が、ボイスコイル５１と同じ材料を含んで構成されていることで、音質の劣化を抑制することができる。さらに、ヒューズ電線１７の径が、ボイスコイル５１から引き出された引出線５２Ａの径より小さくなるように形成されていることで、過大電流が入力された際、ヒューズ電線１７がボイスコイル５１より先に溶断し、ボイスコイル５１に過大電流が流れることを防止することができる。【００５１】
また、コネクタアーム部１４Ａ（アーム部）は、溝部１４３を有し、溝部１４３に、ヒューズ電線１７が収容されている。これによれば、ヒューズ電線１７の目的外の断線を抑制しつつ、ヒューズ電線１７が溝部１４３に収容されていない場合に比して、スピーカ装置１の小型化を図ることができる。【００５２】
また、ヒューズ電線１７が溝部１４３に収容された状態で、溝部１４３には接着剤１４４（充填剤）が充填されている。これによれば、ヒューズ電線１７をより一層、強固に固定することができるから、目的外の断線を抑制できる。さらに、ヒューズ電線１７の腐食防止を図ることができる。【００５３】
また、溝部１４３は、コネクタアーム部１４Ａ（アーム部）において振動板７が位置する側とは反対側に形成されている。これによれば、振動板７の振動の影響によるヒューズ電線１７の断線（目的外の断線）の抑制を図ることができる。【００５４】
なお、本発明は、前記実施例に限定されるものではなく、本発明の目的が達成できる他の構成等を含み、以下に示すような変形例も本発明に含まれる。【００５５】
上述した実施例では、ヒューズ電線１７は、溝部１４３内に接着剤１４４（充填剤）が充填されることで固定されているが、本発明はこれに限定されるものではない。スピーカ装置１は、図４に示すように、溝部１４３の開口１４３ａを覆う樹脂板から構成された蓋部１８（覆い部）をさらに備え、蓋部１８が溝部１４３の開口１４３ａを覆っていてもよい。覆い部は、粘着テープ等であってもよく、金属板であってもよい。また、蓋部１８が溝部１４３の開口１４３ａを覆っている場合に、図５に示すように、溝部１４３内に充填される充填剤はなくてもよい。【００５６】
これによれば、異物がヒューズ電線１７に付着することを抑制することができる。さらに、ヒューズ電線１７が蓋部１８により覆われていることで、ヒューズ電線１７からの放熱が抑制されるため、過大電流が流れた際に溶断し易くなる。【００５７】
また、上述した実施例では、溝部１４３は、断面がコ字状となるように形成されているが、本発明はこれに限定されるものではない。溝部１４３Ａは、図６Ａに示すように、断面がＶ字状と成るように形成されていてもよく、溝部１４３Ｂは、図６Ｂに示すように、断面円弧状となるように形成されていてもよい。【００５８】
また、本実施例では、６本のアーム部１４（コネクタアーム部１４Ａを含む）は、磁気回路支持部１２からエッジ支持部１３まで連続して形成されているが、本発明はこれに限定されるものではない。コネクタアーム部１４Ａを除く５本のアーム部１４は、磁気回路支持部１２からエッジ支持部１３まで連続して形成されていなくともよい。即ち、５本のアーム部１４は、磁気回路１０や振動板７を支持できれば、磁気回路支持部１２からエッジ支持部１３までの間が不連続であってもよい。【００５９】
また、本実施例では、プラスの引出線５２Ａとヒューズ電線１７とは、中継用端子１６Ａを介して接続されているが、本発明はこれに限定されるものではない。プラスの引出線５２Ａとヒューズ電線１７とは、半田付け等の公知の接続方法で直接接続してもよい。この場合には、中継用端子１６Ａは省略してもよい。【００６０】
また、本実施例では、磁気回路支持部１２（第１周部）は、プレート４の上面４０に重ねて固定される円環状の底板１２０を有して磁気回路１０を直接支持しているが、本発明はこれに限定されるものではない。第１周部は、他の部材を介して磁気回路１０を支持していてもよい。また、エッジ支持部１３（第２周部）は、振動板７の上端部をエッジ８を介して支持しているが、本発明はこれに限定されるものではない。第２周部は、振動板７を直接支持していてもよい。【００６１】
（第２実施例）
次に、本発明の第２実施例にかかるスピーカ装置を、図７を参照して説明する。なお、前記実施例と略同一構成乃至略同一機能を有する部位には同一符号を付して説明を省略する。第２実施例にかかるスピーカ装置と前記実施例にかかるスピーカ装置との差異は、コネクタアーム部（アーム部）の形状が異なる点にある。図７は、本発明の第２実施例にかかるスピーカ装置を模式的に示す平面図である。【００６２】
第２実施例にかかるスピーカ装置は、図７に示すように、コネクタアーム部１４Ｂ（アーム部）が、磁気回路支持部１２に連続して設けられているとともに、エッジ支持部１３に対して離間して設けられている。即ち、コネクタアーム部１４Ｂ（アーム部）は、磁気回路支持部（第１周部）からエッジ支持部１３（第２周部）までの間が不連続に設けられ、コネクタアーム部１４Ｂ（アーム部）とエッジ支持部１３とを連結するように接続線５２Ｃが設けられている。接続線５２Ｃの一端は、中継用端子２６を介してヒューズ電線１７に接続され、接続線５２Ｃの他端は、プラスのコネクタ端子１５１Ａに接続されていてもよい。また図示はしないが、コネクタアーム部（アーム部）が、エッジ支持部１３に連続して設けられているとともに、磁気回路支持部１２に対して離間して設けられていてもよい。これによれば、第１実施例と略同様の効果が奏される。【００６３】
（第３実施例）
次に、本発明の第３実施例にかかるスピーカ装置を、図８を参照して説明する。なお、前記実施例と略同一構成乃至略同一機能を有する部位には同一符号を付して説明を省略する。第３実施例にかかるスピーカ装置と前記実施例にかかるスピーカ装置との差異は、コネクタアーム部（アーム部）の形状が異なる点にある。図８は、本発明の第３実施例にかかるスピーカ装置を模式的に示す斜視図である。【００６４】
第３実施例にかかるスピーカ装置は、図８に示すように、コネクタアーム部１４Ｃ（アーム部）には、振動板７が位置する側とは反対側の面に突起部１４５が形成されている。突起部１４５は、円柱部を有して、コネクタアーム部１４Ｃの平面視が長方形状の第１延在部１４１Ａの略中心部に設けられている。ヒューズ電線１７Ａは、両端部が、中継用端子１６Ａ及びプラスのコネクタ端子１５１Ａそれぞれに接続された状態で、突起部１４５に巻き付けられている。即ち、ヒューズ電線１７Ａは、第１、第２実施例のヒューズ電線１７よりも突起部１４５に巻かれる分だけ長くなるように形成されている。これによれば、突起部１４５にヒューズ電線１７Ａを巻き付けることにより、ヒューズ電線１７Ａの適切な長さを確保することができる。従って、過大電流が入力された際に、ヒューズ電線１７Ａが適切に溶断され、ボイスコイル５１に過大電流が流れることをより一層、防止することができる。【００６５】
または、コネクタアーム部１４Ｃ（アーム部）は突起部１４５を有し、ヒューズ電線は突起部１４５の周面に接触した状態で、ヒューズ電線の一部が湾曲されていてもよい。或いは、突起部１４５を有さずとも、ヒューズ電線の適切な長さを確保するようにコネクタアーム部に巻かれていてもよい。これによれば、ヒューズ電線の適切な長さを確保することができる。従って、過大電流が入力された際に、ヒューズ電線が適切に溶断され、ボイスコイル５１に過大電流が流れることをより一層、防止することができる。【００６６】
なお、第３実施例にかかるスピーカ装置は、図８に示すように、コネクタアーム部１４Ｃ（アーム部）には、振動板７が位置する側とは反対側の面に突起部１４５が形成されているが、本発明はこれに限定されるものではない。突起部は、コネクタアーム部１４Ｃ（アーム部）における何れの位置に形成されていてもよい。【００６７】
（第４実施例）
次に、本発明の第４実施例にかかるスピーカ装置を、図９を参照して説明する。なお、前記実施例と略同一構成乃至略同一機能を有する部位には同一符号を付して説明を省略する。第４実施例にかかるスピーカ装置と前記実施例にかかるスピーカ装置との差異は、ヒューズ電線の配索形状が異なる点にある。図９は、本発明の第４実施例にかかるスピーカ装置を模式的に示す斜視図である。【００６８】
第４実施例にかかるスピーカ装置は、中継用端子１６Ｂを有し、中継用端子１６Ｂは、コネクタアーム部１４Ｄのエッジ支持部１３への付け根部分１３Ａ近傍に設けられている。第４実施例では、エッジ支持部１３の周壁１３０に沿って、中継用端子１６Ｂ、プラスのコネクタ端子１５１Ａ、マイナスのコネクタ端子１５１Ｂが、並んで設けられている。中継用端子１６Ｂには、プラスの引出線５２Ａが接続されている。ヒューズ電線１７Ｂは、一端が中継用端子１６Ｂに接続され、他端がプラスのコネクタ端子１５１Ａに接続されている。さらに、ヒューズ電線１７Ｂは、巻かれ部１７０を有している。ヒューズ電線１７Ｂが、巻かれ部１７０を有していることにより、ヒューズ電線１７Ｂの適切な長さを確保することができる。従って、過大電流が入力された際に、ヒューズ電線１７Ｂが適切に溶断され、ボイスコイル５１に過大電流が流れることをより一層、防止することができる。【００６９】
（第５実施例）
次に、本発明の第５実施例にかかるスピーカ装置を、図１０を参照して説明する。なお、前記実施例と略同一構成乃至略同一機能を有する部位には同一符号を付して説明を省略する。第５実施例にかかるスピーカ装置と前記実施例にかかるスピーカ装置との差異は、ヒューズ電線の構造が異なる点にある。図１０は、本発明の第５実施例にかかるスピーカ装置を模式的に示す斜視図である。【００７０】
第５実施例にかかるスピーカ装置は、図１０に示すように、ヒューズ電線１７Ｃがさらに、筒状のケース１７１と、ケース１７１の両端部に位置する一対の導電部１７２と、を有している点にある。本実施例では、一対の導電部１７２のうち一方は、プラスのコネクタ端子１５１Ａに接続固定され、他方は、フレーム１１に直接固定されている。一対の導電部１７２は、ヒューズ電線１７Ｃを収容したケース１７１に対して着脱自在に設けられている。また、一対の導電部１７２は、予めフレーム１１や端子等の適宜の場所に接続固定されており、一対の導電部１７２にヒューズ電線１７Ｃが収容されたケース１７１を取り付けることで、一対の導電部１７２とヒューズ電線１７Ｃとが電気的に接続されるようになっている。ケース１７１は、比較的剛性が高いプラスチック等の合成樹脂から構成されている。本実施例においては、例えば、ヒューズ電線１７Ｃを接続するために半田付け等の接続工程が不要となり、製造コストが低減される。【００７１】
なお、前述した実施例は本発明の代表的な形態を示したに過ぎず、本発明は、実施例に限定されるものではない。実施例は適宜組み合わせることが可能である。例えば、図７に示すように、コネクタアーム部１４Ｂ（アーム部）が、磁気回路支持部（第１周部）からエッジ支持部１３（第２周部）までの間が不連続に設けられている構成と、図８に示すように、ヒューズ電線１７Ａの両端部が、中継用端子１６Ａ及びプラスのコネクタ端子１５１Ａそれぞれに接続された状態で、突起部１４５に巻き付けられている構成を組み合わせてもよい。即ち、本発明の骨子を逸脱しない範囲で種々変形して実施することができる。【００７２】
（第６実施例）
次に、本発明の第６実施例にかかるスピーカ装置を、図１１、１２を参照して説明する。なお、前記実施例と略同一構成乃至略同一機能を有する部位には同一符号を付して説明を省略する。第６実施例にかかるスピーカ装置と前記実施例にかかるスピーカ装置との差異は、コネクタアーム部（アーム部）１４Ａに重なって設けられる基板１９（支持板）を備えた点にある。図１１は、本発明の第６実施例にかかるスピーカ装置を模式的に示す斜視図である。図１２は、図１１中のＩ−Ｉ線に沿う断面図である。なお、図１１において、マイナスの引出線５２Ｂ（図１０に示す）及び、マイナスのコネクタ端子１５１Ｂ（図１０に示す）は省略されている。【００７３】
第６実施例にかかるスピーカ装置は、図１１、１２に示すように、コネクタアーム部（アーム部）１４Ａに重なって設けられる基板１９をさらに備えている。基板１９は、コネクタアーム部１４Ａの一部である第１延在部１４１Ａと略同じ大きさに形成されている。基板１９には、図１２に示すように、複数の第１接続部１９１、１９２（接続部）と、複数の第２接続部１９３、１９４と、が形成されている。複数の第１接続部１９１、１９２及び、複数の第２接続部１９３、１９４は、直線上に並んで設けられ、複数の第２接続部１９３、１９４の間に複数の第１接続部１９１、１９２が設けられている。複数の第１接続部１９１、１９２には、ヒューズ電線１７Ｄの両端部がそれぞれ電気的及び機械的に接続されている。複数の第２接続部１９３、１９４のうち一方１９３には、接続線１５２Ｂが接続され、他方１９４には、接続線１５２Ａが接続されている。また、基板１９に形成された不図示の導体パターンにより、第１接続部１９１と第２接続部１９３は電気的に接続され、第１接続部１９２と第２接続部１９４は電気的に接続されている。【００７４】
なお、本実施例では、基板１９に形成された不図示の導体パターンにより、第１接続部１９１と一方の第２接続部１９３は電気的に接続され、第１接続部１９２と他方の第２接続部１９４は電気的に接続されているが、本発明はこれに限定されるものではない。例えば、絶縁板に導体が形成されて、第１接続部１９１と一方の第２接続部１９３は電気的に接続され、第１接続部１９２と他方の第２接続部１９４は電気的に接続されていてもよい。【００７５】
ヒューズ電線１７Ｄの両端部は、図１２に示すように、複数の第１接続部１９１、１９２それぞれに、ワイヤボンディングされることで電気接続され、さらに、半田付けされることで接続部分が補強されている。即ち、ヒューズ電線１７Ｄは、図１２に示すように、ヒューズ電線１７Ｄの両端部からヒューズ電線１７Ｄの中心に向かうにしたがって基板１９から離れるように湾曲して形成されている。また、ヒューズ電線１７Ｄの両端部は、複数の第１接続部１９１、１９２それぞれに、ワイヤボンディングされることで電気接続されているが、本発明はこれに限定されるものではない。ヒューズ電線１７Ｄの両端部は、公知の方法で電気接続されていてもよい。また、ヒューズ電線１７Ｄの両端部は、例えば接着剤等を用いて接続部分が補強されていてもよい。【００７６】
図１２に示すように、コネクタアーム部１４Ａには、振動板７が位置する側とは反対側の面に溝部１４０が形成されている。溝部１４０は、磁気回路支持部１２（第１周部）と、エッジ支持部１３（第２周部）の間において、径方向に沿って延在形成されている。コネクタアーム部１４Ａに形成された溝部１４０の開口は、複数の第１接続部１９１、１９２び、複数の第２接続部１９３、１９４が溝部１４０内に位置する格好で、基板１９により覆われている。これによれば、ヒューズ電線１７Ｄが外部に露出していないため、外的な影響を受け難いとともに、異物がヒューズ電線１７Ｄに付着することを抑制することができる。【００７７】
このような構成により、アンプのプラスの配線が、プラスのコネクタ端子１５１Ａ、接続線１５２Ｂ、一方の第２接続部１９３、第１接続部１９１、ヒューズ電線１７Ｄ、第１接続部１９２、他方の第２接続部１９４、接続線１５２Ａ、及びプラスの引出線５２Ａを介して、ボイスコイル５１を形成するリード線５１に接続される。また、リード線５１に、マイナスの引出線５２Ｂ、接続線１５２Ｂ、及びマイナスのコネクタ端子１５１Ｂを介して、アンプのマイナスの配線に接続される。【００７８】
ここで、アンプのプラスの配線に電流が入力された際に、ヒューズ電線１７Ｄが発熱する場合があるが、ヒューズ電線１７Ｄは、図１２に示すように、ヒューズ電線１７Ｄの両端部からヒューズ電線１７Ｄの中心に向かうにしたがって基板１９から離れるように湾曲されているとともに、溝部１４０に収容されている。これにより、ヒューズ電線１７Ｄの周囲にクリアランスが確保されるから、ヒューズ電線１７Ｄの熱が周りの部材に伝達され難い。これにより、例えば、コネクタアーム部１４Ａ及び基板１９等のヒューズ電線１７Ｄの周囲に位置する部材のヒューズ電線１７Ｄからの熱による変形が抑制される。【００７９】
また、ヒューズ電線１７Ｄの両端部が、基板１９に電気的及び機械的に支持されていることで、コネクタアーム部は、磁気回路支持部１２からエッジ支持部１３までの間が不連続であったとしても、ヒューズ電線１７Ｄの設置が可能とされる。【００８０】
なお、本発明は、前記実施例に限定されるものではなく、本発明の目的が達成できる他の構成等を含み、以下に示すような変形例も本発明に含まれる。【００８１】
前記実施例では、コネクタアーム部１４Ａには、振動板７が位置する側とは反対側の面に溝部１４０が形成されているが、本発明はこれに限定されるものではない。コネクタアーム部には、振動板７が位置する側の面に溝部１４０が形成されていてもよい。【００８２】
また、前記実施例では、基板１９において、複数の第１接続部１９１、１９２及び複数の第２接続部１９３、１９４が直線上に並んで設けられている。即ち、ヒューズ電線１７Ｄの一端部と、接続線１５２Ａとは異なる場所で接続され、ヒューズ電線１７Ｄの他端部と、接続線１５２Ｂとは異なる場所で接続されているが、本発明はこれに限定されるものではない。図１３に示すように、ヒューズ電線１７Ｄの一端部及び接続線１５２Ａは、基板１９Ａにおいて同じ位置にある接続部１９５で接続され、ヒューズ電線１７Ｄの他端部及び接続線１５２Ｂは、基板１９Ａにおいて同じ位置にある接続部１９６で接続されていてもよい。【００８３】
さらに、図１４に示すように、基板１９Ｂには、ヒューズ電線１７Ｄの両端部が接続される複数の第１接続部１９１、１９２間に、基板１９Ｂを貫通するスリット１９０が形成されていてもよい。または、基板１９Ｂにおいて、ヒューズ電線１７Ｄが配線される側の面に凹溝が形成されていてもよい。即ち、ヒューズ電線１７Ｄと重なる位置に、基板１９Ｂを貫通するスリット１９０または凹溝が形成されていてもよい。スリット１９０または凹溝は、基板１９Ｂにおいて、第１接続部１９１、１９２間の少なくとも一部（ヒューズ電線１７Ｄと少なくとも一部が重なる位置に）に形成されていればいずれの位置に形成されていてもよい。この場合には、ヒューズ電線１７Ｄは、不図示の保護部に保護されている。保護部として、接着剤やテープ、ヒューズ電線１７Ｄを収容する樹脂ケースを用いて、ヒューズ電線１７Ｄを覆っていてもよい。また、図１４に示すように、第１接続部１９１と第２接続部１９３とが連続部１９７によって電気的に接続され、第１接続部１９２と第２接続部１９４とが連続部１９７によって電気的に接続されていてもよい。【００８４】
ここで、前記実施例では、アンプのプラスの配線に電流が入力された際に、ヒューズ電線１７Ｄが発熱されるため、ヒューズ電線１７Ｄの両端部を除く中間部を基板１９Ａ（１９）から離れるように湾曲させているとともに、溝部１４０に収容することで、ヒューズ電線１７Ｄの周囲にクリアランスを確保していたが、本実施例では、スリット１９０が形成されていることで、ヒューズ電線１７Ｄを直線形状で配線させた際においても、ヒューズ電線１７Ｄと周りの部材との間にクリアランスが確保される。これにより、基板１９Ｂの厚さ方向の大型化を抑制しつつ、ヒューズ電線１７Ｄからの熱を周囲の部材に伝わり難くすることができる。【００８５】
また、本実施例では基板１９Ａにスリット１９０を設け、当該スリット１９０に重ねてヒューズ電線１７Ｄを配置することで、ヒューズ電線１７Ｄと基板１９Ａのクリアランスを確保していたが、ヒューズ電線１７Ｄと他の部材のクリアランスが確保できれば、ヒューズ電線１７Ｄの形状及びスリット１９０又は溝部１４０の有無は問わない。即ち、ヒューズ電線１７Ｄと他の部材のクリアランスが確保できれば、スリット１９０又は溝部１４０の有無に関わらず、ヒューズ電線１７Ｄは直線形状であってもよい。【００８６】
または、図１５に示すように、第２接続部１９３、１９４の代わりに切欠き部１９９を複数有し、複数の切欠き部１９９それぞれに接続線１５２Ａ、１５２Ｂを絡げて、当該接続線１５２Ａ、１５２Ｂを切欠き部１９９それぞれに電気的に接続してもよい。この場合には、第２接続部１９３、１９４は省略してもよい。複数の切欠き部１９９は、基板１９Ｂの長手方向の端縁を切り欠いて形成されている。さらに、図１６に示すように、切欠き部１９９には、プラスのコネクタ端子１５１Ａ及び、ボイスコイル５１からのプラスの引出線５２Ａ等が直接接続されていてもよい。本構成によれば、接続線１５２Ａ、１５２Ｂを用いずともスピーカ装置の稼働に必要な電気的接続を確保できる。なお、複数の切欠き部１９９の形成位置は、基板１９Ｂの周縁の何れの位置に設けられていてもよく、例えば、基板１９Ｂの短手方向の端縁を切り欠いて形成されていてもよい。【００８７】
（第７実施例）
次に、本発明の第７実施例にかかるスピーカ装置を、図１７、１８を参照して説明する。なお、前記実施例と略同一構成乃至略同一機能を有する部位には同一符号を付して説明を省略する。第７実施例にかかるスピーカ装置と前記実施例にかかるスピーカ装置との差異は、複数の接続部１９１、１９２にヒューズ電線１７Ｄを接続して形成されたヒューズ部品２０１を予め形成し、ヒューズ部品２０１をコネクタアーム部１４Ｅに設置して、ヒューズ部品２０１から引き出された接続線１５２Ａをプラスの引出線５２Ａに接続し、接続線１５２Ｂをアンプのプラスの配線に接続する点にある。図１７は、本発明の第７実施例にかかるスピーカ装置を模式的に示す斜視図である。図１８は、図１７に示されたスピーカ装置の要部を模式的に示す斜視図である。【００８８】
第７実施例にかかるスピーカ装置は、図１７、１８に示すように、ヒューズ部品２０１を有している。ヒューズ部品２０１は、ヒューズ電線１７Ｄと、基板１９（支持板）と、基板１９を収容するケース２００（図１８に示す）と、を有して構成されている。【００８９】
基板１９には、図１８に示すように、複数の第１接続部１９１、１９２（接続部）と、複数の第２接続部１９３、１９４と、が形成されている。複数の第１接続部１９１、１９２には、ヒューズ電線１７Ｄの両端部がそれぞれ電気的及び機械的に接続されている。複数の第２接続部１９３、１９４のうち一方１９３には、接続線１５２Ｂが接続され、他方１９４には、接続線１５２Ａが接続されている。また、基板１９に形成された不図示の導体パターンにより、第１接続部１９１と第２接続部１９３は電気的に接続され、第１接続部１９２と第２接続部１９４は電気的に接続されている。【００９０】
ヒューズ部品２０１は、基板１９がケース２００に収容された状態で、一端が基板１９に接続された接続線１５２Ａ、１５２Ｂの各他端がケース２００の外部に引き出されている。【００９１】
このような構成により、アンプのプラスの配線が、プラスのコネクタ端子１５１Ａ、接続線１５２Ｂ、一方の第２接続部１９３、第１接続部１９１、ヒューズ電線１７Ｄ、第１接続部１９２、他方の第２接続部１９４、接続線１５２Ａ、及びプラスの引出線５２Ａを介して、ボイスコイル５１を形成するリード線５１に接続される。また、リード線５１に、マイナスの引出線５２Ｂ、接続線１５２Ｂ、及びマイナスのコネクタ端子１５１Ｂを介して、アンプのマイナスの配線に接続される。【００９２】
このようなスピーカ装置は、まず、第１接続部１９１、１９２にヒューズ電線１７Ｄを接続し、第２接続部１９３、１９４に接続線１５２Ａ、１５２Ｂの各一端部を接続し、接続線１５２Ａ、１５２Ｂの各他端部を、ケース２００から引き出すことでヒューズ部品２０１を形成する。次に、ヒューズ部品２０１をコネクタアーム部１４Ｅに設置して、ヒューズ部品２０１から引き出された接続線１５２Ａをプラスの引出線５２Ａに接続し、接続線１５２Ｂをマイナスの引出線５２Ｂに接続する。こうして、ヒューズ電線１７Ｄが、アンプのプラスの配線と、ボイスコイル５１から引き出された引出線５２Ａとの間に電気的に接続される。【００９３】
上述した実施例によれば、予め形成されたヒューズ部品２０１をコネクタアーム部１４Ｅに設置して、ヒューズ部品２０１から引き出された接続線１５２Ａをプラスの引出線５２Ａに接続し、接続線１５２Ｂをマイナスの引出線５２Ｂに接続することで、ヒューズ電線１７Ｄが、アンプのプラスの配線と、ボイスコイル５１から引出された引出線５２Ａとの間に電気的に接続される。即ち、予めヒューズ部品２０１を組み立てておくことで、ヒューズ電線１７Ｄを交換する際の作業性の向上を図ることができる。【００９４】
（第８実施例）
次に、本発明の第８実施例にかかるスピーカ装置を、図１９、２０を参照して説明する。なお、前記実施例と略同一構成乃至略同一機能を有する部位には同一符号を付して説明を省略する。第８実施例にかかるスピーカ装置と前記実施例にかかるスピーカ装置との差異は、ヒューズ部品２０２がさらに搭載部１２３を有している点にある。図１９は、本発明の第８実施例にかかるスピーカ装置を模式的に示す斜視図である。図２０は、図１９に示されたスピーカ装置の要部を模式的に示す斜視図である。なお、図１９において、マイナスの引出線５２Ｂ（図１７に示す）、コネクタアーム部１４Ｅ（図１７に示す）は省略されている。【００９５】
第８実施例にかかるスピーカ装置は、図１９、２０に示すように、ヒューズ部品２０２が、不図示のコネクタアーム部に設置される搭載部１２３と、ヒューズ電線１７Ｄと、基板１９Ｂと、基板１９Ｂを収容するケース２００と、を有して構成されている。プラスのコネクタ端子１５１Ａ及びマイナスのコネクタ端子１５１Ｂは、搭載部１２３の所定の場所に設置されている。プラスのコネクタ端子１５１Ａには、アンプのプラスの配線が接続され、マイナスのコネクタ端子１５１Ｂには、アンプのマイナスの配線が接続されている。【００９６】
基板１９Ｂには、図２０に示すように、複数の第１接続部１９１、１９２（接続部）と、複数の第２接続部１９３Ａ、１９４Ａと、が形成されている。複数の第１接続部１９１、１９２には、ヒューズ電線１７Ｄの両端部がそれぞれ電気的及び機械的に接続されている。複数の第２接続部１９３Ａ、１９４Ａのうち一方１９３Ａには、接続端子１９８を介してプラスのコネクタ端子１５１Ａが接続され、他方１９４Ａには、接続線１５２Ａが接続されている。即ち、複数の第２接続部１９３Ａ、１９４Ａのうち一方１９３Ａと、接続端子１９８との接続部分は、ケース２００の外部に位置され、他方１９４Ｂと、接続線１５２Ａとの接続部分は、ケース２００の外部に位置されている。【００９７】
ここで、第２接続部１９３Ａ、１９４Ａは、基板１９Ｂに形成された貫通孔の内壁にメッキが施されて形成されたスルーホールである。また、基板１９Ｂに形成された不図示の導体パターンにより、第１接続部１９１と第２接続部１９３Ａは電気的に接続され、第１接続部１９２と第２接続部１９４Ａは電気的に接続されている。【００９８】
このような構成により、アンプのプラスの配線が、プラスのコネクタ端子１５１Ａ、一方の第２接続部１９３Ａ、第１接続部１９１、ヒューズ電線１７Ｄ、第１接続部１９２、及び他方の第２接続部１９４Ａ、接続線１５２Ａ、引出線５２Ａを介してボイスコイル５１を形成するリード線５１に接続される。また、リード線５１に、マイナスの引出線５２Ｂ、接続線１５２Ｂ、及びマイナスのコネクタ端子１５１Ｂを介して、アンプのマイナスの配線に接続される。【００９９】
このようなスピーカ装置は、まず、第１接続部１９１、１９２にヒューズ電線１７Ｄを接続し、第２接続部１９３Ａに、接続端子１９８を挿入接続する。また、接続線１５２Ａを、第２接続部１９４Ａに接続する。この際、接続線１５２Ａは、ケース２００から外部に引き出されている。こうして、ヒューズ部品２０２を形成する。次に、ヒューズ部品２０２をコネクタアーム部１４Ｅに設置して、ヒューズ部品２０２から引き出された接続線１５２Ａをプラスの引出線５２Ａに接続し、接続線１５２Ｂをマイナスのコネクタ端子１５１Ｂを介してマイナスの引出線５２Ｂに接続する。こうして、ヒューズ電線１７Ｄが、アンプのプラスの配線と、ボイスコイル５１から引き出された引出線５２Ａとの間に電気的に接続される。【０１００】
上述した実施例によれば、予め形成されたヒューズ部品２０２をコネクタアーム部１４Ｅに設置して、ヒューズ部品２０２から引き出された接続線１５２Ａをプラスの引出線５２Ａに接続し、接続線１５２Ｂをマイナスの引出線５２Ｂに接続することで、ヒューズ電線１７Ｄが、アンプのプラスの配線と、ボイスコイル５１から引出された引出線５２Ａとの間に電気的に接続される。即ち、予めヒューズ部品２０２を組み立てておくことで、組立て現場においてヒューズ電線１７Ｄの配線をすることなくヒューズ電線１７Ｄを交換することができる。従って、メンテナンスの際の作業性の向上を図ることができる。【０１０１】
なお、本発明は、前記実施例に限定されるものではなく、本発明の目的が達成できる他の構成等を含み、以下に示すような変形例も本発明に含まれる。【０１０２】
前記実施例では、接続線１５２Ａをプラスの引出線５２Ａに接続し、接続線１５２Ｂをマイナスの引出線５２Ｂに接続することで、ヒューズ電線１７Ｄが、アンプのプラスの配線と、ボイスコイル５１から引出された引出線５２Ａとの間に電気的に接続されているが、本発明はこれに限定されるものではない。ヒューズ電線１７Ｄが、アンプのプラスの配線と、ボイスコイル５１から引出された引出線５２Ａとの間に電気的に接続されていればよい。この場合には、例えば、基板に、アンプのプラスの配線と引出線５２Ａが直接接続されていてもよく、或いは、基板に、アンプのプラスの配線と引出線５２Ａが公知の接続方法を用いて適宜電気接続されていればよい。【０１０３】
また、前記実施例では、ヒューズ電線１７Ｄの両端部が基板１９Ｂに接続されていたが、本発明はこれに限定されるものではない。ヒューズ電線１７Ｄの両端部は、図２１に示すように、プラスのコネクタ端子１５１Ａ、及び中継用端子１６Ａそれぞれに直接接続されていてもよい。この場合には、ワイヤボンディング等の公知の方法で、ヒューズ電線１７Ｄの両端部と、プラスのコネクタ端子１５１Ａ、及び中継用端子１６Ａとをそれぞれ接続した後、ヒューズ電線１７Ｄをケース２００の内部に収容するように、ケース２００を搭載部１２４（端子支持板）に設置してもよい。これによれば、異物がヒューズ電線１７Ｄに付着することの抑制を図ることができる。【０１０４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【０１０５】
１                  スピーカ装置
２                  ヨーク
３                  マグネット
４                  プレート
７                  振動板
１０                磁気回路
１１                フレーム
１２                磁気回路支持部（第１周部）
１２４              搭載部（端子支持板）
１３                エッジ支持部（第２周部）
１４Ａ、１４Ｂ、１４Ｃ、１４Ｄ、１４Ｅ    コネクタアーム部（１つのアーム部）
１４３              溝部
１４３ａ            開口
１４３Ａ            溝部
１４３Ｂ            溝部
１４４              接着剤（充填剤）
１４５              突起部
１５１Ａ            プラスのコネクタ端子（端子）
１６Ａ              中継用端子（端子）
１７、１７Ａ、１７Ｂ、１７Ｃ、１７Ｄ        ヒューズ電線
１８                蓋部（覆い部）
５１                ボイスコイル
５２Ａ              プラスの引出線
１９、１９Ａ、１９Ｂ  基板（支持板）
１４０              溝部
１９０              スリット
１９１、１９２      第１接続部（接続部）
１９３、１９３Ａ、１９４、１９４Ａ          複数の第２接続部
【図１】
2019087847.tif 000003
【図２】
2019087847.tif 000004
【図３Ａ】
2019087847.tif 000005
【図３Ｂ】
2019087847.tif 000006
【図３Ｃ】
2019087847.tif 000007
【図４】
2019087847.tif 000008
【図５】
2019087847.tif 000009
【図６Ａ】
2019087847.tif 000010
【図６Ｂ】
2019087847.tif 000011
【図７】
2019087847.tif 000012
【図８】
2019087847.tif 000013
【図９】
2019087847.tif 000014
【図１０】
2019087847.tif 000015
【図１１】
2019087847.tif 000016
【図１２】
2019087847.tif 000017
【図１３】
2019087847.tif 000018
【図１４】
2019087847.tif 000019
【図１５】
2019087847.tif 000020
【図１６】
2019087847.tif 000021
【図１７】
2019087847.tif 000022
【図１８】
2019087847.tif 000023
【図１９】
2019087847.tif 000024
【図２０】
2019087847.tif 000025
【図２１】
2019087847.tif 000026
【国際調査報告】
2019087847.tif 000027
2019087847.tif 000028
2019087847.tif 000029